(57)【要約】      （修正有）【課題】施工性がよくて意匠の自由度が高く、しかも、施工期間を短縮できる間仕切りを提供する。【解決手段】支持材と、支柱２と、複数のブロック３，４とを備えており、支持材は、一方側と他方側を隔てる境界に沿って配置してあり、支柱２は、支持材の長手方向に沿って間隔をあけて支持材の上面から複数起立しており、ブロック３，４は、一側端または両側端に係止部９，９ａ，が設けてあり、ブロック３，４を支柱２間に配置したときに、ブロック３，４の係止部９，９ａが支柱２に係止する。【選択図】図３
2014122482.tif 000002
【特許請求の範囲】
【請求項１】
支持材と、支柱と、複数のブロックとを備えており、
支持材は、一方側と他方側を隔てる境界に沿って配置してあり、支柱は、支持材の長手方向に沿って間隔をあけて支持材の上面から複数起立しており、ブロックは、一側端または両側端に係止部が設けてあり、ブロックを支柱間に配置したときに、ブロックの係止部が支柱に係止することを特徴とする間仕切り。
【請求項２】
ブロックは、ガラスで成形してあることを特徴とする請求項１記載の間仕切り。
【請求項３】
ブロックの係止部は、支柱の断面形状に対応してブロックの端部を切欠した凹状またはブロックの端部から突出した凸状に形成してあることを特徴とする請求項１又は２記載の間仕切り。
【発明の詳細な説明】
【技術分野】
【０００１】
本発明は、室内の境界や隣接地との境界などに設置される間仕切りに関するものである。
【背景技術】
【０００２】
間仕切りはパーテーションとも呼ばれており、部屋間を仕切りや隣接地との境界を仕切るフェンスなど、多様なものが存在している。また、この種の間仕切りは、モルタルを塗りながら多数のコンクリートブロックを積層し、室内や敷地の境界等に壁状の構造物を形成するものであった。また、境界を仕切る構造上、デザイン性も追求され、装飾性の向上や光彩を取り入れる工夫からガラスが使用されるものもあった。
【先行技術文献】
【特許文献】
【０００３】
【特許文献１】特開２００３−１８４１９２号公報
【発明の概要】
【発明が解決しようとする課題】
【０００４】
上記のものでは、ブロックを積層したときに各ブロック間にモルタルを塗り込むため、養生期間が必要となる。さらに、養生期間はブロックの積層状態が固定されないことから、ブロック間に筋違等を沿わせて補強する必要があり、施工手間がかかるものであった。また、採光や装飾性の高さからガラスを用いるものもあったが、ガラスは加工が容易ではなく、さらに、耐久性の欠落やコストが大幅に増大する問題点があった。
本発明は、上記課題を鑑みてなされたものであり、施工性がよくて意匠の自由度が高く、しかも、施工期間を短縮できる間仕切りを提供することにある。
【課題を解決するための手段】
【０００５】
本発明のうち請求項１記載の発明は、支持材と、支柱と、複数のブロックとを備えており、支持材は、一方側と他方側を隔てる境界に沿って配置してあり、支柱は、支持材の長手方向に沿って間隔をあけて支持材の上面から複数起立しており、ブロックは、一側端または両側端に係止部が設けてあり、ブロックを支柱間に配置したときに、ブロックの係止部が支柱に係止することを特徴とする。
【０００６】
本発明のうち請求項２記載の発明は、ブロックは、ガラスで成形してあることを特徴とする。尚、ガラスについては、新規またはリサイクルガラスのいずれも使用することができる。
【０００７】
本発明のうち請求項３記載の発明は、ブロックの係合部は、支柱の断面形状に対応してブロックの端部を切欠した凹状またはブロックの端部から突出した凸状に形成してあることを特徴とする。
【発明の効果】
【０００８】
本発明のうち請求項１記載の発明によれば、支持材の上面か間隔をあけて起立した各支柱間に上方から複数のブロックを挿入し、支柱間にブロックを積層することにより、支柱から各ブロックが抜け出し不能な状態となる。このことから、モルタルでブロック同士を接着することがなく養生が不要であることから、施工期間が短縮できる。さらに、筋違などでブロックの積層状態を保持する必要がないので容易に施工ができ、しかも、堅牢な壁体が形成される。また、ブロックを支柱に係止する構造であることから、各ブロック間の養生工程が不要となり、施工工期の短縮が図れて施工コストの削減を図ることができる。
【０００９】
本発明のうち請求項２記載の発明によれば、ガラス製のブロックを使用したときに、ガラスに孔開け加工などを施すことなく、最低限の加工のみで施工することができる。これにより、一般に穴開け加工などに代表される大掛かりな加工が難しいガラスにおいて、簡易な加工のみを施し、しかも、堅牢に間仕切りを形成することができる。
【００１０】
本発明のうち請求項３記載の発明によれば、ブロックは、その外周部が支柱の断面形状に対応してブロックの端部を切欠した凹状、またはブロックの端部から突出した凸状に形成してあることにより、ブロックと支柱とが凹凸に係止し、ブロックが支柱間に抜け出し不能に配置される。これにより、ガラス製ブロックに対する孔開け加工を一切必要とせず、さらに、ガラスのような高度で繊細な加工が必要な素材で成形されたブロックであっても大量生産が容易である。したがって、間仕切りのようにブロックを大量に使用とするものであっても、短期に材料を揃えて施工工期を短くすることが可能となる。
【図面の簡単な説明】
【００１１】
【図１】本実施による間仕切りの（ａ）は、全体を示す正面図であり、（ｂ）は、図１（ａ）中Ａ−Ａ線断面図である。
【図２】（ａ）は、図１中（ａ）のＢ−Ｂ線断面図であり、（ｂ）は、図１（ａ）中のＣ−Ｃ線断面図である。
【図３】本実施による間仕切りの要部を示す拡大斜視図である。
【図４】（ａ）は、本実施によるブロック（第一ブロック）の斜視図であり、（ｂ）は、ブロック（第二ブロック）の斜視図であり、（ｃ）は、支持材と支柱の斜視図である。
【図５】（ａ）〜（ｄ）は、本実施による間仕切りの施工手順を示す正面図である。
【図６】本発明の他の間仕切り（第二実施形態）を示す（ａ）は、正面図であり、（ｂ）は、図６中（ａ）のＤ−Ｄ線断面図であり、（ｃ）は、図６（ａ）中のＥ−Ｅ線断面図である。
【図７】（ａ）は、本発明の間仕切りの第三実施形態の正面図であり、（ｂ）は、第四実施形態の正面図である。
【発明を実施するための形態】
【００１２】
以下に、図面に基づいて本発明による間仕切りの第一実施形態について説明する。
本実施による間仕切りは、図１（ａ）（ｂ）と図３のように、支持材１と、支柱２，２ａと、第一ブロック３と、第二ブロック４と、天板５とから構成されている。また、本実施による間仕切りは、室内開口部Ｓに設置されるものであり、その室内開口部Ｓは、一方側の部屋と他方側の部屋の境界Ｌを隔てるものである。
【００１３】
支持材１は、図２（ａ）〜（ｃ）と図４（ｃ）のように、基板６とベース板７とから構成されている。
基板６は、長尺で且つ肉厚の薄い金属製の板材を加工したものであり、また、基板６の長手方向に沿って所定の間隔をあけて支柱２を固定するものである。ベース板７は、支持材１と第一ブロック３の間に挟まれる肉厚の薄く且つクッション性を有するものである。また、ベース板７は、長方形状をなす長手側の両端部に、第一ブロック３の係止部９とほぼ同一形状をなす切欠部位７ａ，７ａがそれぞれ設けてあり、他のベース板７の切欠部位７ａと対面させることにより、支柱２の外周を囲むように配置される。
【００１４】
支柱２，２ａは、図３と図４（ｃ）を参照すれば、長尺な中空形材を使用しており、その断面形状が矩形状をなすものである。また、すべての支柱２，２ａは、ほぼ４５°垂直軸回転させて支持材１の上面部に固定してある。また、支柱２，２ａのうち、室内開口部Ｓの側部内周面に配置されるもの（符号２ａのもの）は、室内開口部Ｓの内周側に配置してある。この支柱２ａは、支柱２を垂直にカットしたものであり、断面形状がほぼ三角形状をなしている。そして、室内開口部Ｓの壁面に三角の辺のうちの一辺を当接するとともにアンカー部材で固定してある。
【００１５】
ブロック３，４は、図４（ａ）（ｂ）のように、支柱２間に配置される第一ブロック３と、図４（ｂ）のように、支柱２に挿通する第二ブロック４の二種類のもので構成されており、いずれのものもガラスで成形されている。また、このガラスについては、本実施ではリサイクルガラスを使用するものである。リサイクルガラスは、回収されたガラス瓶やガラス板を溶解して再度所定の形状に成形されたものである。第一ブロック３は、一辺が長い直方体をなしている。また、第一ブロック３の長手側の両端部は、ほぼＶ字状をなす切欠がそれぞれ設けてあり、この切欠が支柱２との係止部９となっている。第二ブロック４は、一対形状をなす２つのブロック状パーツ４ａ，４ａを接着して平面視ほぼ正方形状をなすものである。また、一方のブロック状パーツ４ａと他方のブロック状パーツ４ａの溶着面１３側には、ほぼＶ字状の切欠部（係止部）９ａが設けてあり、その切欠部（係止部）９ａ同士を対面させて各ブロック状パーツ４ａ，４ａを溶着したときに、矩形状の挿通孔１２が形成される。
【００１６】
天板５は、上面が扁平な板材であり、支持材１とほぼ平行に配置される。また、天板５の下端面は、各支柱２の上側先端部が当接し、支柱２の起立状態を支持する構造となっている。また、天板５と支持材１、また、室内開口部Ｓの内周側の壁面に固定する２本の支柱２ａについては、室内開口部Ｓの内周を囲むように配置されていることから、本実施による間仕切りでは枠体のように機能する。
【００１７】
上記した支持材１、支柱２、第一ブロック３、第二ブロック４を使用した本実施による間仕切りの施工手順を以下に示す。
第一の手順として、図５（ａ）のように、一方側の部屋と他方側の部屋の境界Ｌとなる室内開口部Ｓに、複数の支柱２を固定した状態の支持材１の基板６を固定する。さらに、室内開口部Ｓの両側内周面にそれぞれ支柱２ａを固定し、室内開口部Ｓの三方を囲む。また、基板６の上にクッション性を有するベース板７を載置する。
第二の手順として、図５（ｂ）のように、すべての支柱２間に両端の各係止部９が係止する状態で上方から第一ブロック３を挿入する。また、支柱２を挟む第一ブロック３同士の隙間にクッション材１０を挟む。さらに、図５（ｃ）のように、支持材１の長手方向に沿って第一ブロック３を一層分積んだ後、第一ブロック３の係止部９の上面にクッション材１０を敷き、各支柱２間に第二ブロック４の挿通孔１２を挿通する（図４（ｂ）参照）。そして、前述の作業を繰り返すことにより、室内開口部Ｓに第一ブロック３と第二ブロック４による積層構造物が形成される。
第三の手順として、図５（ｄ）のように、各支柱２の上側先端部に天板５を載置する。さらに、天板５の長手方向の両端部をそれぞれ室内開口部Ｓの側部内周面に固定金具１１で固定する。
上記の第一〜第三の各手順を経ることにより、本実施による間仕切りが完成する。
【００１８】
上記のように本実施形態の間仕切りを形成することにより、以下に示す作用、効果を奏する。
ガラスで成形された第一ブロック３は、支柱２間に長手側の両端の係止部９を係止することで支柱２間から離脱不能に配置される。また、その第一ブロック３の各係止部９，９は、ほぼＶ字状をなす凹状部であることからガラスであっても容易に加工できる。さらに、第二ブロック４についても、ほぼ三角形状の切欠部（係止部）９ａを有する一対のブロック状パーツ４ａ，４ａを接着して形成したものであるから、ガラスに対して支柱２を通すための孔加工を施さずとも、支柱３に挿通することのできる挿通孔１２を形成することができる。また、第一ブロック３の係止部９がほぼＶ字状をなし、さらに、支柱２の断面形状が矩形状であり且つ垂直軸方向に４５°回転させた状態であることから、第一ブロック３を支柱２間に配置したときに、第一ブロック３が支柱２と前後方向に抜け出し不能に係止される。これにより、ガラスで成形された第一ブロック３を使用して間仕切りを形成する場合であっても、孔開け加工が不要となることから、簡単な加工で挿通部分を形成しつつもガラスの耐久性を損ねることがない。また、支柱２間に係止部９を有する第一ブロック３を係止する構造であるから、第一ブロック３を支柱２に固定するための固定金具１１やアンカー部材等が不要である。さらに、ガラスで成形された第一ブロック３に固定金具
１１やアンカー部材等を取り付けるための加工も不要となるので、間仕切りそのものの耐久性の向上が見込まれる。また、第一ブロック３と第二ブロック４を支柱２に係止する構造であることから、第一ブロック３同士あるいは第一ブロック３と第二ブロック４をモルタル等で接着する養生工程が不要となる。このことから、施工工期の短縮が図れて施工コストの削減を図ることができる。
【００１９】
本発明による間仕切りの他の実施形態（第二実施形態）について説明する。
本実施による間仕切りは、前述した第一実施形態のものと相違する構成として図６（ａ）（ｂ）（ｃ）のように、支柱２０の断面形状と、第一ブロック２３および第二ブロック２４の係止部２９，２９ａの形状が異なっている。そして、支柱２０の断面形状は、図６（ｂ）（ｃ）のように、多角形状をなしており、第一ブロック２３の係止部２９および第二ブロック２４の切欠部（係止部）２９ａの形状が同様に多角形状をなしている。このような形状の異なるものであっても、第一ブロック２３を支柱２０間に係止して、第一ブロック２３が境界Ｌから一方側または他方側のいずれかに抜け出し不能な構造とすることができる。ただ、多角形のものでは、角があまりにも多くなれば支柱の周面が断面円形に近づいて丸みを帯びることで、支柱２０と第一ブロック２３とがＲ面同士で接する。したがって、第一ブロック２３が支柱２０を乗り越える懸念があり、角の少ない多角形よりも抜け出しやすくなる懸念がある。
【００２０】
本発明は、第一実施形態で示したガラス製ブロックに替えてコンクリート製ブロック３３を使用したものである。このように、本発明のものは、ブロック（第一ブロック、第二ブロック）３，４，２３，２４，３３，３４の材質をガラス以外のものを適用することも可能である。たとえば、レンガや樹脂、ゴム等の異なる材質のものであってもよい。
また、上記の第一実施形態のものでは、第一ブロック３，２３と第二ブロック４，２４の二種類のものを使用したが、図７（ａ）のように、一種類のブロック（本実施のものではコンクリート製ブロック）３３のみを使用して間仕切りを形成してもよい（第三実施形態とする）。さらに、図７（ｂ）のように、コンクリート製ブロック３３とガラス製ブロック３４を交互に重ねて配置を自由に変更してもよい（第四実施形態とする）。
尚、支柱２，２０の本数については、室内開口部Ｓの大きさに対応して自由に設定することができる。また、間仕切りのデザインによっても支柱２，２０間の間隔は自由に変更できる。
【符号の説明】
【００２１】
１  支持材
２，２０  支柱
３，２３  第一ブロック（ブロック）
４，２４  第二ブロック（ブロック）
３３  コンクリート製ブロック（ブロック）
３４  ガラス製ブロック（ブロック）
９，９ａ，２９，２９ａ  係止部
Ｌ  境界
Ｓ  室内開口部
【図１】
2014122482.tif 000003
【図２】
2014122482.tif 000004
【図３】
2014122482.tif 000005
【図４】
2014122482.tif 000006
【図５】
2014122482.tif 000007
【図６】
2014122482.tif 000008
【図７】
2014122482.tif 000009
【手続補正書】
【提出日】平成24年12月25日(2012.12.25)
【手続補正１】
【補正対象書類名】明細書
【補正対象項目名】００１５
【補正方法】変更
【補正の内容】
【００１５】
ブロック３，４は、図４（ａ）（ｂ）のように、支柱２間に配置される第一ブロック３と、図４（ｂ）のように、支柱２に挿通する第二ブロック４の二種類のもので構成されており、いずれのものもガラスで成形されている。また、このガラスについては、本実施ではリサイクルガラスを使用するものである。第一ブロック３は、一辺が長い直方体をなしている。また、第一ブロック３の長手側の両端部は、ほぼＶ字状をなす切欠がそれぞれ設けてあり、この切欠が支柱２との係止部９となっている。第二ブロック４は、一対形状をなす２つのブロック状パーツ４ａ，４ａを接着して平面視ほぼ正方形状をなすものである。また、一方のブロック状パーツ４ａと他方のブロック状パーツ４ａの溶着面１３側には、ほぼＶ字状の切欠部（係止部）９ａが設けてあり、その切欠部（係止部）９ａ同士を対面させて各ブロック状パーツ４ａ，４ａを溶着したときに、矩形状の挿通孔１２が形成される。